(57)【要約】【課題】熱交換器の形状によらずに、かつ、熱交換器を動かすことなく、ファンを着脱することが可能な壁掛け形空気調和機を提供する。【解決手段】壁掛け形空気調和機１は、本体１００と、ドレンパン組品１１０とを備える。本体１００は、ファン１４０を収容する。ドレンパン組品１１０は、ファン１４０によって送出される空気を吹き出すための吹出口１１３を形成する吹出口周縁部１１４と露受け１１７とを有し、本体１００に着脱可能であるように取り付けられる。本体１００には、ファン１４０を本体１００から取り出すための開口部１２０が形成されている。ドレンパン組品１１０は、吹出口１１３が本体１００の開口部１２０に対向するように本体１００に取り付けられる。吹出口周縁部１１４は、吹出口１１３の上方に配置される上壁部１１８と、吹出口１１３の下方に配置される吹出口後方突出部１１２とを含む。【選択図】図３
2011043253.tif 000002
【特許請求の範囲】
【請求項１】
ファンを収容する第１の筐体と、
前記ファンによって送出される空気を吹き出すための吹出口を形成する吹出口周縁部とドレンパンとを有し、前記第１の筐体に着脱可能であるように取り付けられる第２の筐体とを備え、
前記第１の筐体には、前記ファンを前記第１の筐体から取り出すための開口部が形成され、
前記第２の筐体は、前記吹出口が前記第１の筐体の開口部に対向するように前記第１の筐体に取り付けられ、
前記吹出口周縁部は、前記吹出口の上方に配置される上壁部と、前記吹出口の下方に配置される下壁部とを含む、壁掛け形空気調和機。
【請求項２】
前記第２の筐体は、前記吹出口を開放または閉塞するための吹出口開閉部材と、前記ファンによって前記吹出口から前記第１の筐体の外部に送出される空気の向きを変更するための風向変更部材とを含む、請求項１に記載の壁掛け形空気調和機。
【請求項３】
前記第１の筐体に収容される熱交換器を備え、
前記第１の筐体の開口部は前記第１の筐体の下部に形成され、
前記熱交換器は、第１の熱交換器部と第２の熱交換器部によって構成され、
前記第１の熱交換器部と前記第２の熱交換器部との上端は互いに接触し、下端は離隔するように配置されて、
前記ファンは、前記第１の熱交換器部と前記第２の熱交換器部との間に挟まれて配置されている、請求項１または請求項２に記載の壁掛け形空気調和機。
【請求項４】
前記ファンを駆動するモータと、
前記モータを前記第１の筐体に固定するためのモータ固定部を備え、
前記モータ固定部は、前記第１の筐体から前記モータの固定を解除することが可能であるように構成されている、請求項１から請求項３までのいずれか１項に記載の壁掛け形空気調和機。
【請求項５】
前記第２の筐体の下部を前記第１の筐体に係合させるための下部係合部と、
前記第２の筐体の上部を前記第１の筐体に固定するための上部固定部と、
前記第２の筐体の下部を中心に前記第２の筐体を回動させるための回動部とを備え、
前記下部係合部は、前記第１の筐体に配置される第１の突起と、前記第２の筐体に配置されて前記第１の突起に係合する第２の突起とを含み、
前記回動部は、前記第１の筐体に配置される第１の回動部構成部と、前記第２の筐体に配置され、前記第１の回動部構成部と組み合わされて前記回動部を構成する第２の回動部構成部とを含む、請求項１から請求項４までのいずれか１項に記載の壁掛け形空気調和機。
【発明の詳細な説明】
【技術分野】
【０００１】
この発明は、一般的には空気調和機に関し、特定的には、壁掛け形の空気調和機に関する。
【背景技術】
【０００２】
空気調和機の室内機の本体内には、熱交換器やファン等が収容されている。ファンには、水滴や塵埃が付着しやすい。ファンに付着した水滴や塵埃をそのまま放置するとカビが発生し、ファンによって室内機から空気調和対象室内に送出される空気とともに、空気調和対象室内にカビがまき散らされることがある。また、ファンに付着した水滴や塵埃が放置されると、悪臭が発生することがある。
【０００３】
そこで、従来、空気調和対象室内の壁面上に取り付けられている室内機の全体を壁面から取り外し、分解して、ファンが清掃されている。
【０００４】
しかし、このようにしてファンを清掃する場合には、壁面に取り付けられている室内機を壁面から取り外し、室内機を分解してファンを取り出して清掃し、再び元通りに室内機を組み立てて壁に取り付ける必要がある。室内機に収容される熱交換器には冷媒を流通させるパイプが固定されており、このパイプは、室内機から室外機まで延びており、室内機の熱交換器と、室外機の熱交換器の両方に固定されている。そのため、熱交換器が収容されている室内機を壁面から取り外したり、清掃終了後に再び壁面に取り付けたりすることは困難である。
【０００５】
一方、例えば、特開平８−１３５９９４号公報（特許文献１）には、空気調和機を壁に据え付けたままで、空気調和機からファンを取り外すことが可能な空気調和機が記載されている。この空気調和機においては、ファンは、回転軸の一方の端部をファンモータによって支持され、他方の端部を、ファンを挟んでファンモータと反対側の側壁に設けられた軸受によって支持されている。ファンモータとファンの嵌合の係り代は、ファンと側壁との隙間より小さい。ファンが取り外されるときには、ファンは、まず、固定ビスを緩められた後、側壁側にスライドさせられて、ファンの回転軸とファンモータとの係りが外される。次に、熱交換器の側壁側を少し浮かせて、熱交換器と空気調和機本体との間から、軸受けごとファンが抜き出される。このようにすることにより、ファンモータと電気品箱を空気調和機本体に取り付けたまま、空気調和機本体が壁に据え付けられた状態で、ファンだけを抜き出すことができる。
【０００６】
また、特開平１０−１３７６９８号公報（特許文献２）には、空気調和機の室内機にファンを着脱するときに、ファンが筐体や熱交換器にぶつからないように、かつ、着脱しやすいように、熱交換器を任意形状または任意状態にされている空気調和機の室内機が記載されている。この室内機では、熱交換器は、例えば、板状に形成されて、長手方向を水平に、短辺方向を鉛直方向にするように配置されている。また例えば、熱交換器の下部が屈曲されている。また、熱交換器を室内機に着脱させるときに通過させる着脱出入り口の前方側の部品、すなわち、前面パネルや露受皿、吹出口の前方側に配置されるルーバ等が取り外される。このように、着脱出入り口の前方側の部品を取り外し、熱交換器の形状を工夫することによって、熱交換器を動かすことなく、ファンを着脱することが可能にされている。
【０００７】
また、特開平９−２７３７６９号公報（特許文献３）では、ファンケーシングの吹出側が、ファンの軸心部を境界として熱交換器側のフレーム本体と、ファンの送出方向側に設けられフレーム本体に着脱可能に取り付けられた吹出し口部とに分割され、吹出し口部の取り外しによってファンの支持を解除する天井カセット形の空気調和機について説明されている。この天井カセット形の空気調和機では、ファンケーシングの下端部の側板が吹出し口フレームと一体となっており、かつ、ファンケーシングから取り外すことができる。
【先行技術文献】
【特許文献】
【０００８】
【特許文献１】特開平８−１３５９９４号公報
【特許文献２】特開平１０−１３７６９８号公報
【特許文献３】特開平９−２７３７６９号公報
【発明の概要】
【発明が解決しようとする課題】
【０００９】
しかしながら、特開平８−１３５９９４号公報（特許文献１）に記載の空気調和機では、熱交換器の端部を浮かして、熱交換器と空気調和機本体との間に隙間を形成し、この隙間から軸受けごとファンを抜き出す。熱交換器の端部を浮かせるときに、冷媒を流通させるパイプに力が加えられると、パイプが折れたり曲がったりすることがある。したがって、この方法でファンを空気調和機から取り出すことは困難である。
【００１０】
また、特開平１０−１３７６９８号公報（特許文献２）に記載の空気調和機の室内機では、前面パネルと、吹出口の前方側の部品、すなわち、ルーバと露受皿を取り外した空気調和機の室内機にファンを着脱するときに、ファンが筐体や熱交換器にぶつからないように、かつ、着脱しやすいように、熱交換器の形状が決められている。吹出口の前方側の部品が取り外されても、着脱出入り口をファンが通過できる大きさに広げるためには、熱交換器の下端部を屈曲させたり、熱交換器の高さを短くしたりする必要がある。このようにして決められた熱交換器の形状では、熱交換器の性能を低下させることがある。
【００１１】
また、特開平９−２７３７６９号公報（特許文献３）に記載の天井カセット形空気調和機では、ファンケーシングの下端部の側と吹出し口フレームとを一体にファンケーシングから取り外すことができるが、ドレンパンは、別に取り外さなくてはならない。ところで、壁掛け形空気調和機では、ファンをファンケーシングから取り外すときには、ドレンパンもファンケーシングから取り外す必要がある。そのため、ファンケーシングの下端部の側と吹出し口フレームとを一体にファンケーシングから取り外すことができても、ドレンパンを別に取り外すために作業が煩雑になる。特開平９−２７３７６９号公報（特許文献３）には、壁掛け形空気調和機については具体的には説明されていない。
【００１２】
そこで、この発明の目的は、熱交換器の形状によらずに、かつ、熱交換器を動かすことなく、ファンを着脱することが可能な壁掛け形空気調和機を提供することである。
【課題を解決するための手段】
【００１３】
この発明に従った壁掛け形空気調和機は、第１の筐体と、第２の筐体とを備える。第１の筐体は、ファンを収容する。第２の筐体は、ファンによって送出される空気を吹き出すための吹出口を形成する吹出口周縁部とドレンパンとを有し、第１の筐体に着脱可能であるように取り付けられる。第１の筐体には、ファンを第１の筐体から取り出すための開口部が形成されている。第２の筐体は、吹出口が第１の筐体の開口部に対向するように第１の筐体に取り付けられる。吹出口周縁部は、吹出口の上方に配置される上壁部と、吹出口の下方に配置される下壁部とを含む。
【００１４】
このように構成された壁掛け形空気調和機では、第２の筐体が第１の筐体に取り付けられているときには、第１の筐体の開口部が第２の筐体によって閉塞されている。壁掛け形空気調和機からファンが取り外されるときには、まず、第２の筐体が第１の筐体から取り外される。第２の筐体を取り外すことによって、吹出口を形成する吹出口周縁部とドレンパンとが第１の筐体から取り外される。吹出口周縁部は吹出口を形成しており、吹出口の上方に配置される上壁部と、吹出口の下方に配置される下壁部とを含むので、吹出口周縁部を有する第２の筐体を第１の筐体から取り外すことによって、吹出口の上方に配置される上壁部と、吹出口の下方に配置される下壁部とを含む吹出口の周縁部の全体が取り外される。また、第２の筐体を第１の筐体から取り外すことによって、ドレンパンも取り外される。第２の筐体が第１の筐体から取り外されることによって、第１の筐体の開口部が開放される。
【００１５】
このように、第２の筐体を取り外すと吹出口の上方に配置される上壁部と、吹出口の下方に配置される下壁部とを含む吹出口の周縁部の全体とドレンパンとが取り外されるので、吹出口の前方側または後方側のいずれか一方の部品だけを取り外す場合や、上壁部または下壁部のいずれか一方だけを取り外す場合と比較して、開口部を十分に大きくすることができる。例えば、開口部の大きさを確保するために、熱交換器の形状を工夫しなくてもよい。また、ファンを取り外すときに開口部の大きさを確保するために、熱交換器を浮かせる必要がない。このように、第２の筐体が吹出口周縁部を有することによって、第１の筐体から第２の筐体を取り外すことで第１の筐体の開口部が十分に大きく開放され、開口部からファンを取り出すことが容易になる。
【００１６】
このようにすることにより、熱交換器の形状によらずに、かつ、熱交換器を動かすことなく、ファンを着脱することが可能な壁掛け形空気調和機を提供することができる。
【００１７】
この発明に従った壁掛け形空気調和機においては、第２の筐体は、吹出口開閉部材と、風向変更部材とを含むことが好ましい。吹出口開閉部材は、吹出口を開放または閉塞するためのものである。風向変更部材は、ファンによって吹出口から第１の筐体の外部に送出される空気の向きを変更するためのものである。
【００１８】
このようにすることにより、吹出口の周辺に配置される吹出口開閉部材と、風向変更部材とを、第１の筐体に一度に着脱できる。このように、吹出口の周辺に配置される部材を第１の筐体から一度に取り外すことができるので、第１の筐体からファンを取り外すために必要な空間を確保しやすい。
【００１９】
この発明に従った壁掛け形空気調和機は、第１の筐体に収容される熱交換器を備えることが好ましい。第１の筐体の開口部は第１の筐体の下部に形成されることが好ましい。熱交換器は、第１の熱交換器部と第２の熱交換器部によって構成されることが好ましい。第１の熱交換器部と第２の熱交換器部との上端は互いに接触し、下端は離隔するように配置されていることが好ましい。ファンは、第１の熱交換器部と第２の熱交換器部との間に挟まれて配置されていることが好ましい。
【００２０】
このようにすることにより、第１の熱交換器部の下端と第２の熱交換器部の下端との間が離されているので、熱交換器の下方の開口部からファンを抜き出すことが容易になる。また、第１の熱交換器部の上端と第２の熱交換器部との上端が互いに接触しているので、熱交換の効率を保ちながら、壁掛け形空気調和機を小型化することができる。
【００２１】
この発明に従った壁掛け形空気調和機は、ファンを駆動するモータと、モータ固定部とを備えることが好ましい。モータ固定部は、モータを第１の筐体に固定することが好ましい。また、モータ固定部は、第１の筐体からモータの固定を解除することが可能であるように構成されていることが好ましい。
【００２２】
このようにすることにより、ファンを取り外す作業の間、重量の大きいモータをモータ固定部で第１の筐体に固定して、モータが落下することを防ぐことができる。また、第１の筐体からモータの固定を解除することによって、モータごとファンを取り外すことができる。モータごとファンを取り外すことによって、ファンとモータとの間にクリアランスを設ける必要がなくなり、空気調和機の幅を小さくすることができる。さらに、モータと軸との取り付け部分に不良が発生しにくくなる。
【００２３】
この発明に従った壁掛け形空気調和機は、下部係合部と上部固定部と回動部とを備えることが好ましい。下部係合部は、第２の筐体の下部を第１の筐体に係合させるためものである。上部固定部は、第２の筐体の上部を第１の筐体に固定するためのものである。回動部は、第２の筐体の下部を中心に第２の筐体を回動させるためのものである。
【００２４】
下部係合部は、第１の筐体に配置される第１の突起と、第２の筐体に配置されて第１の突起に係合する第２の突起とを含むことが好ましい。回動部は、第１の筐体に配置される第１の回動部構成部と、第２の筐体に配置され、第１の回動部構成部と組み合わされて回動部を構成する第２の回動部構成部とを含むことが好ましい。
【００２５】
第１の筐体から第２の筐体が取り外されてファンの清掃がされた後、第２の筐体を再び第１の筐体に取り付けるときには、次のようにする。まず、第１の回動部構成部と第２の回動部構成部とを組み合わせて回動部を構成する。このようにすることにより、第２の筐体の下部を中心にして、第２の筐体を回動させることができる。次に、第２の筐体の下部を中心にして、第２の筐体を回動させる。回動された第２の筐体の下部においては、下部係合部において、第１の筐体の第１の突起に第２の筐体の第２の突起が係合される。第１の突起と第２の突起とが係合されると、下部係合部において第１の筐体と第２の筐体の下部とが係合される。また、回動された第２の筐体の上部は、第１の筐体に固定される。第２の筐体の上部は、例えば、上部固定部においてネジ止めされることによって第１の筐体に固定される。
【００２６】
このようにすることにより、第１の筐体から取り外された第２の筐体を、容易に、再び第１の筐体に取り付けることができる。
【発明の効果】
【００２７】
以上のように、この発明によれば、熱交換器の形状によらずに、かつ、熱交換器を動かすことなく、ファンを着脱することが可能な壁掛け形空気調和機を提供することができる。
【図面の簡単な説明】
【００２８】
【図１】本発明の一つの実施の形態に係る壁掛け形空気調和機の全体を示す斜視図である。
【図２】本発明の一つの実施の形態に係る壁掛け形空気調和機の本体の一部を取り外した状態と、取り外された本体を構成する各部材とを示す図である。
【図３】本発明の一つの実施の形態に係る壁掛け形空気調和機からドレンパン組品を取り外した状態を示す断面図である。
【図４】本発明の一つの実施の形態に係る壁掛け形空気調和機から取り外されたドレンパン組品を示す斜視図である。
【図５】本発明の一つの実施の形態に係る壁掛け形空気調和機のドレンパン組品の内側を示す斜視図である。
【図６】本発明の一つの実施の形態に係る壁掛け形空気調和機から本体の一部とドレンパン組品とが取り外された状態を下方向から見たときの斜視図である。
【図７】本発明の一つの実施の形態に係る壁掛け形空気調和機のモータとモータ押え部材を示す図である。
【図８】本発明の一つの実施の形態に係る壁掛け形空気調和機のモータを、モータ押え部材で本体に固定しているときの状態を示す図（Ａ）と、モータ押え部材をモータから外したときの状態を示す図（Ｂ）である。
【図９】本発明の一つの実施の形態に係る壁掛け形空気調和機のモータと、別の形態のモータ押え部材を示す斜視図である。
【図１０】本発明の一つの実施の形態に係る壁掛け形空気調和機のモータを、別の形態のモータ押え部材で本体に固定しているときの状態を示す図（Ａ）と、別の形態のモータ押え部材をモータから外したときの状態を示す図（Ｂ）である。
【図１１】本発明の一つの実施の形態に係る壁掛け形空気調和機のファンとモータとを本体から取り外す過程を示す斜視図である。
【図１２】本発明の一つの実施の形態に係る壁掛け形空気調和機のファン軸受を示す図である。
【図１３】本発明の一つの実施の形態に係る壁掛け形空気調和機のドレンパン組品を本体に取り付ける過程を示す図である。
【図１４】本発明の一つの実施の形態に係る壁掛け形空気調和機の左右方向の中央部の断面を示す図である。
【図１５】本発明の一つの実施の形態に係る壁掛け形空気調和機のファンの左右方向の端部付近の断面を示す図である。
【発明を実施するための形態】
【００２９】
以下、この発明の実施の形態を図面に基づいて説明する。
【００３０】
図１に示すように、この発明の一つの実施の形態の壁掛け形空気調和機１は、第１の筐体として本体１００と、第２の筐体としてドレンパン組品１１０とによって全体が覆われている。本体１００は、オープンパネル１０１と、グリル１０２と、左カバー１０３と、右カバー１０４とから構成されている。壁掛け形空気調和機１においては、オープンパネル１０１が配置されている側を正面側（前方側）、左カバー１０３が配置されている側を左側、右カバー１０４が配置されている側を右側とする。
【００３１】
オープンパネル１０１は、壁掛け形空気調和機１の正面側を覆っている。グリル１０２は、壁掛け形空気調和機１の上面を覆っている。グリル１０２には、複数の吸込口（図示しない）が形成されている。左カバー１０３は、壁掛け形空気調和機１の左側においてオープンパネル１０１の下方を覆っている。右カバー１０４は、壁掛け形空気調和機１の右側においてオープンパネル１０１の下方を覆っている。右カバー１０４には、表示部１０５が配置されている。表示部１０５には、運転状態や、風向、風量、設定温度、空気調和対象室内の温度等が表示される。
【００３２】
壁掛け形空気調和機１の正面側においてオープンパネル１０１の下方は、ドレンパン組品１１０によって覆われている。ドレンパン組品１１０には、横ルーバ（水平ルーバ）１１１と吹出口後方突出部１１２とが取り付けられている。横ルーバ１１１は、吹出口開閉部材の一例であり、風向変更部材を兼ねている。ドレンパン組品１１０にはまた、後述するように、露受けや、イオン供給部材としてイオン発生器が取り付けられている。
【００３３】
ドレンパン組品１１０の横ルーバ１１１と吹出口後方突出部１１２との間には、吹出口１１３が形成されている。吹出口１１３の上方には、上壁部が配置されている。図１では、上壁部の前面は横ルーバ１１１に覆われている。吹出口１１３の下方には、下壁部として吹出口後方突出部１１２が配置されている。吹出口１１３は、上壁部と吹出口後方突出部１１２との間に形成された開口である。横ルーバ１１１は、回動して吹出口１１３を開放または閉塞することが可能であるようにドレンパン組品１１０に取り付けられている。吹出口後方突出部１１２は、回動しないようにドレンパン組品１１０に固定されている。図１には、横ルーバ１１１が吹出口１１３を閉塞している状態が示されている。横ルーバ１１１と上壁部と吹出口後方突出部１１２とが吹出口周縁部１１４を構成している。
【００３４】
図２に示すように、本体１００のオープンパネル１０１と、グリル１０２と、左カバー１０３と、右カバー１０４とは、それぞれ、壁掛け形空気調和機１から取り外されることができる。オープンパネル１０１の内側には、熱交換器１３０が配置されている。右カバー１０４の内側には、表示部１０５の後方側に、電装品箱１０６が配置されている。電装品箱１０６には、制御部などが収容されている。
【００３５】
熱交換器１３０の前方には、フィルタを支持するための中央フィルタガイド１０８が取り付けられている。中央フィルタガイド１０８の下端部には、仮留め部１０８ａが形成されている。仮留め部１０８ａは、ドレンパン組品１１０の上端の中央部を挟んで、本体１００の前方側から背面側に向かって押さえつけている。
【００３６】
図３に示すように、壁掛け形空気調和機１からは、ドレンパン組品１１０を取り外すことができる。図３は、壁掛け形空気調和機１の左右方向の中央部の断面を示す図である。ドレンパン組品１１０を壁掛け形空気調和機１の本体１００から取り外すと、横ルーバ１１１と、吹出口後方突出部１１２と、ドレンパンとして露受け１１７が設置されている上壁部１１８とが本体１００から取り外される。このように、ドレンパン組品１１０を本体１００から取り外すと、横ルーバ１１１と上壁部１１８と吹出口後方突出部１１２とから構成される吹出口周縁部１１４の全体と露受け１１７とが本体１００から取り外される。
【００３７】
ドレンパン組品１１０を本体１００から取り外すと、ドレンパン組品１１０の下部に形成されているツメ１９１とツメ１９３が本体１００の突起から外れる。ツメ１９１，１９３と本体１００の突起については後述する。また、回動部の第２の回動部構成部として凹部１９６も本体１００から外れる。凹部１９６についても後述する。また、ドレンパン組品１１０の上端の中央部は仮留め部１０８ａから外される。
【００３８】
ドレンパン組品１１０を本体１００から取り外すと、本体１００に形成された開口部１２０が開放される。開口部１２０の奥には、ファン１４０が配置されている。図３に示すように、開口部１２０は、ファン１４０が通過することが可能であるような大きさに形成されている。開口部１２０の径Ｄ２は、ファンの径Ｄ１よりも大きく形成されている。
【００３９】
熱交換器１３０の第１の熱交換器部として前方側熱交換器部１３１は、ファン１４０の前面側から上方側に延びるように配置されている。熱交換器１３０の第２の熱交換器部として後方側熱交換器部１３２は、ファン１４０の背面側から上方側に延びるように配置されている。前方側熱交換器部１３１と後方側熱交換器部１３２は、ファン１４０と離隔して配置されている。前方側熱交換器部１３１の上端と後方側熱交換器部１３２の上端とは互いに接触している。前方側熱交換器部１３１の下端と後方側熱交換器部１３２の下端との間にはファン１４０が配置されて、前方側熱交換器部１３１の下端と後方側熱交換器部１３２の下端とは互いに離隔されている。
【００４０】
ファン１４０の後方において本体１００内の下部には、ドレンパイプ等の配管を収容する配管収容部１０７が配置されている。
【００４１】
ドレンパン組品１１０は、本体１００に取り付けられているときには開口部１２０を閉塞している。一方、ドレンパン組品１１０が取り除かれると、ドレンパン組品１１０によって閉塞されていた開口部１２０が開放される。ドレンパン組品１１０には、吹出口１１３の正面側に配置される横ルーバ１１１だけでなく、吹出口１１３の上方に配置される上壁部１１８と、吹出口１１３の下方において後方側に配置される吹出口後方突出部１１２も取り付けられている。そのため、ドレンパン組品１１０を本体１００から取り外すと、吹出口１１３の前方側に配置されている横ルーバ１１１、上壁部１１８、または、吹出口１１３の後方側に配置されている吹出口後方突出部１１２のいずれか一方だけでなく、吹出口１１３の前方側から後方側の広い範囲において開口部１２０が開放される。
【００４２】
図４に示すように、壁掛け形空気調和機１の本体１００から取り外されたドレンパン組品１１０には、横ルーバ１１１と、上壁部１１８と、吹出口後方突出部１１２と、風向変更部材として縦ルーバ（垂直ルーバ）１１５と、イオン発生器１１６が取り付けられている。横ルーバ１１１と縦ルーバ１１５は、吹出口１１３から送出される空気の向きを変更するために、吹出口１１３の周辺に配置される。イオン発生器１１６は、吹出口１１３から送出される空気にイオンを供給して、空気調和対象室内の除菌や脱臭を行うために、吹出口１１３の周辺に配置される。ドレンパン組品１１０には、吹出口温度センサや、オゾン発生ユニット、表示部などの他の部材が取り付けられていてもよい。
【００４３】
ドレンパン組品１１０に、横ルーバ１１１、上壁部１１８、吹出口後方突出部１１２、縦ルーバ１１５、イオン発生器１１６等が取り付けられていることによって、ドレンパン組品１１０を本体１００から取り外すと、これらの部材もドレンパン組品１１０とともに本体１００から取り外される。なお、この実施の形態においては、ドレンパン組品１１０にはイオン発生器１１６が含まれているが、イオン発生器１１６はドレンパン組品１１０に含まれていなくてもよい。
【００４４】
このように、吹出口１１３の周辺に配置される部材をドレンパン組品１１０とともに本体１００から取り外すことができるので、ファン１４０（図３）を取り外すために必要な開口部１２０（図３）の大きさを確保しやすい。
【００４５】
図５に示すように、ドレンパン組品１１０の吹出口後方突出部１１２の内側において左右方向の中央には、第２の突起としてツメ１９１が形成されている。ツメ１９１は、ツメ収容部１９１ａとツメ本体１９１ｂとから構成されている。ツメ本体１９１ｂは、ツメ収容部１９１ａに着脱可能である。ツメ収容部１９１ａとツメ本体１９１ｂとは、同じ材質によって形成されていてもよいし、異なる材質によって形成されていてもよい。ツメ１９１がツメ収容部１９１ａとツメ本体１９１ｂとから構成されていることによって、ツメ本体１９１ｂが破損したとき、ドレンパン組品１１０全体を取り替える必要なく、ツメ１９１のツメ本体１９１ｂだけを交換することができる。
【００４６】
ドレンパン組品１１０の吹出口後方突出部１１２の内側において左右の下端部には、第２の突起としてツメ１９３が形成されている。
【００４７】
また、ドレンパン組品１１０の左右の上端部には、上部固定部としてネジ止め部１９５が形成されている。
【００４８】
図６に示すように、壁掛け形空気調和機１の本体から、左カバー１０３と、右カバー１０４と、ドレンパン組品１１０とを取り外した状態を下から見ると、開口部１２０を通して、ファン１４０の下面の全体が見られる。ファン１４０の左側においては、後述するようにファン１４０の回転軸がファン軸受によって支持されている。ファン１４０の右側には、ファン１４０の回転軸に接続されてファン１４０を駆動するためのモータ１５０と、モータ押え部材１６０が配置されている。
【００４９】
本体１００の下部において左右方向の中央には、第１の突起として突起１９２が形成されている。また、本体１００の下部においてファン１４０の左右下方には、第１の突起として突起１９４が形成されている。
【００５０】
本体１００の最下部において吹出口後方突出部１１２（図５）に対向する端縁１９７は、回動部の第１の回動部構成部の一例である。端縁１９７と凹部１９６（図３）は、回動部を構成する。
【００５１】
図５に示すドレンパン組品１１０のツメ１９１とツメ１９３と、図６に示す本体１００の突起１９２と突起１９４は、下部係合部を構成する。ドレンパン組品１１０が本体１００に取り付けられているときには、ドレンパン組品１１０のツメ１９１が本体１００の突起１９２と係合する。また、ドレンパン組品１１０のツメ１９３が本体１００の突起１９４と係合する。
【００５２】
図７は、壁掛け形空気調和機１の本体１００の内部を、モータ押え部材１６０の側から見たときの図である。図７に示すように、モータ１５０はモータ押え部材１６０によって下方向から支持されて、本体１００に固定されている。そのため、ドレンパン組品１１０と右カバー１０４を本体１００から取り外しても、ファン１４０とモータ１５０は落下しない。
【００５３】
図８に示すように、ファン１４０を本体１００から取り外すためには、モータ押え部材１６０によるモータ１５０の固定を解除する。図８の（Ａ）に示すように、モータ押え部材１６０によってモータ１５０が固定されているときに、モータ押え部材１６０のつまみ１６１がつままれると、モータ押え部材１６０の爪１６２が本体１００から外れる。モータ押え部材１６０は、爪１６２が外された状態で、つまみ１６１がつままれてモータ押え部材回動軸１６３を中心にして、図８の（Ｂ）に示す状態まで回動される。モータ押え部材１６０が図８の（Ｂ）に示す位置まで回動されると、モータ１５０がモータ押え部材１６０から解放されて、モータ１５０を本体１００から外すことができる。このように、モータ押え部材１６０は、回動式のモータ固定部である。
【００５４】
図９に示すように、モータ押え部材１６０（図８）の別の形態のモータ固定部として、モータ押え部材１７０が用いられてもよい。モータ押え部材１７０は、モータ１５０を、モータ１５０の右側後部において下方向から支持している。
【００５５】
図１０の（Ａ）に示すように、モータ押え部材１７０のつまみ１７１がつままれて、モータ押え部材１７０が右方向にスライドされると、図１０の（Ｂ）に示すように、モータ押え部材１７０がモータ１５０から外れる。このように、モータ押え部材１７０は、スライド式のモータ固定部である。
【００５６】
図７〜図１０に示すような、回動式のモータ押え部材１６０やスライド式のモータ押え部材１７０を用いることによって、モータ１５０を簡単に固定することができる。また、モータ１５０を本体１００から取り外すことも容易になる。
【００５７】
また、モータ１５０は、ネジによって本体１００に固定されてもよい。ネジをモータ固定部として用いる場合には、例えば、モータ１５０を下方向から被覆部材で覆い、この被覆部材の端部を本体にネジで固定することなどによって、モータ１５０が本体１００に固定される。
【００５８】
図１１に示すように、モータ１５０の固定が解除されると、モータ１５０とともに、ファン１４０の右側が、熱交換器１３０の下方から開口部１２０を通って、本体１００の外部に出される。ファン１４０の左側の端部にはファン１４０の回転軸が突出しており、図１１に示す状態では、ファン１４０の回転軸がファン軸受に支持されている。
【００５９】
図１２は、ファン軸受１８０を正面側から見たときの図である。図１２に示すように、ファン軸受１８０は、ファン軸受筐体１８１と、ファン軸受筐体１８１の内部に収容される球体１８２とから構成されている。球体１８２は、ファン軸受筐体１８１の内部において回転可能であるように収容されている。球体１８２には、球体１８２の中心を通る孔１８３が形成されている。球体１８２がファン軸受筐体１８１の内部で回転すると、球体１８２の回転に応じて、孔１８３の向きが変化する。
【００６０】
ファン１４０を壁掛け形空気調和機１（図１１）の本体１００（図１１）から取り外すときには、上述のように、ファン１４０を右下方向に引き抜く。このようにして本体１００からファン１４０が引き抜かれると、ファン１４０の回転軸１４１も、ファン軸受筐体１８１の球体１８２から右下方向に引き抜かれる。ファン１４０の回転軸１４１が引き抜かれるとき、球体１８２の孔１８３は、図１２の（Ｂ）に示すように、右側が下がった状態に傾く。
【００６１】
このように、ファン１４０を右下方向に向かって引き抜くことによって、ファン１４０の回転軸がファン軸受１８０から引き抜かれて、ファン１４０を本体１００から完全に取り外すことができる。
【００６２】
本体１００から取り外されたファン１４０は、清掃されて、カビや水滴、塵埃等を取り除かれて清浄な状態にされる。清浄にされたファン１４０は、再び本体１００に取り付けられる。
【００６３】
ファン１４０を再び壁掛け形空気調和機１の本体１００に取り付けるときには、ファン１４０の回転軸１４１をファン軸受１８０の球体１８２の孔１８３に差し込む。孔１８３は、ファン１４０の回転軸１４１が引き抜かれたときに右側が下がった状態にされているので、ファン１４０の回転軸１４１が、右下から左上方向に向かって差し込まれると、回転軸１４１が球体１８２の孔１８３に差し込まれる。
【００６４】
次に、モータ１５０を本体１００に戻し、モータ押え部材１６０またはモータ押え部材１７０等のモータ固定部によって固定する。その後、ドレンパン組品１１０を次のようにして本体１００に取り付ける。
【００６５】
図１３に示すように、ドレンパン組品１１０を本体１００に取り付けるときには、まず、ドレンパン組品１１０の下端を本体１００の下端に当てる。このとき、ドレンパン組品１１０の下端の凹部１９６が本体１００の下端の端縁１９７に当たるようにする。端縁１９７に凹部１９６が当てられると、本体１００の端縁１９７が凹部１９６にはまり込んで、凹部１９６と端縁１９７とが組み合わされて、回動部を構成する。
【００６６】
次に、ドレンパン組品１１０の下端を本体１００の下端に当てたままで、凹部１９６と端縁１９７とによって構成された回動部を軸にして、ドレンパン組品１１０の上端を本体１００に近づけるように、開口部１２０を閉塞するように回動させる。ドレンパン組品１１０がこのように回動されると、図１４に示すように、ドレンパン組品１１０の左右方向において中央部のツメ１９１と、本体１００の突起１９２とが係合される。同時に、図１５に示すように、ドレンパン組品１１０の左右の端部のツメ１９３と、本体１００の突起１９４とが係合される。
【００６７】
ドレンパン組品１１０が回動されて、ドレンパン組品１１０が本体１００の開口部１２０（図１３）を閉塞すると、ドレンパン組品１１０の上端の中央部が仮留め部１０８ａによって本体１００上に留められる。また、ドレンパン組品１１０のネジ止め部１９５（図５）が本体１００上に配置される。ドレンパン組品１１０の上部は、ネジ止め部１９５においてネジによって、本体１００に固定される。
【００６８】
ドレンパン組品１１０の上部を本体１００に固定する間、ドレンパン組品１１０の下部が本体１００に係合され、ドレンパン組品１１０の上端の中央部が仮留め部１０８ａによって本体１００上に留められている。そのため、ドレンパン組品１１０を作業者が手で支持しなくても、ドレンパン組品１１０が本体１００から落下したり、ドレンパン組品１１０と本体１００との位置関係がずれたりすることを防ぐことができる。
【００６９】
このようにしてドレンパン組品１１０が本体１００に取り付けられた後、左カバー１０３、右カバー１０４を本体１００に取り付ける。このようにして、壁掛け形空気調和機１が元の状態に戻される。
【００７０】
以上のように、壁掛け形空気調和機１は、本体１００と、ドレンパン組品１１０とを備える。本体１００は、ファン１４０を収容する。ドレンパン組品１１０は、ファン１４０によって送出される空気を吹き出すための吹出口１１３を形成する吹出口周縁部１１４と露受け１１７とを有し、本体１００に着脱可能であるように取り付けられる。本体１００には、ファン１４０を本体１００から取り出すための開口部１２０が形成されている。ドレンパン組品１１０は、吹出口１１３が本体１００の開口部１２０に対向するように本体１００に取り付けられる。吹出口周縁部１１４は、吹出口１１３の上方に配置される上壁部１１８と、吹出口の下方に配置される吹出口後方突出部１１２とを含む。
【００７１】
このように構成された壁掛け形空気調和機１では、ドレンパン組品１１０が本体１００に取り付けられているときには、本体１００の開口部１２０がドレンパン組品１１０によって閉塞されている。壁掛け形空気調和機１からファン１４０が取り外されるときには、まず、ドレンパン組品１１０が本体１００から取り外される。ドレンパン組品１１０を取り外すことによって、吹出口１１３を形成する吹出口周縁部１１４と露受け１１７とが本体１００から取り外される。吹出口周縁部１１４は吹出口１１３を形成しており、吹出口１１３の上方に配置される上壁部１１８と、吹出口１１３の下方に配置される吹出口後方突出部１１２とを含むので、吹出口周縁部１１４を有するドレンパン組品１１０を本体１００から取り外すことによって、吹出口１１３の上方に配置される上壁部１１８と、吹出口１１３の下方に配置される吹出口後方突出部１１２とを含む吹出口１１３の周縁部の全体が取り外される。また、ドレンパン組品１１０を本体１００から取り外すことによって、露受け１１７も取り外される。ドレンパン組品１１０が本体１００から取り外されることによって、本体１００の開口部１２０が開放される。
【００７２】
このように、吹出口１１３の上方に配置される上壁部１１８と、吹出口１１３の下方に配置される吹出口後方突出部１１２とを含むドレンパン組品１１０を取り外すと吹出口１１３の周縁部の全体と露受け１１７とが取り外されるので、吹出口１１３の前方側の横ルーバ１１１とドレンパンとから構成される組品、または、吹出口後方突出部１１２のいずれか一方だけを取り外す場合と比較して、開口部１２０を十分に大きくすることができる。例えば、開口部１２０の大きさを確保するために、熱交換器１３０の高さを低くしなくてもよい。熱交換器１３０の高さを十分に高くすることによって、熱交換器１３０の高さを低くした場合と比較して、熱交換効率を高く保つことができる。また、熱交換器１３０の形状を工夫しなくてもよい。また、ファン１４０を取り外すときに開口部１２０の大きさを確保するために、熱交換器１３０を浮かせる必要がない。このように、ドレンパン組品１１０が吹出口周縁部１１４を有することによって、本体１００からドレンパン組品１１０を取り外すことで本体１００の開口部１２０が十分に大きく開放され、開口部１２０からファン１４０を取り出すことが容易になる。
【００７３】
このようにすることにより、熱交換器１３０の形状によらずに、かつ、熱交換器１３０を動かすことなく、ファン１４０を着脱することが可能な壁掛け形空気調和機１を提供することができる。
【００７４】
壁掛け形空気調和機１においては、ドレンパン組品１１０は、横ルーバ１１１と、縦ルーバ１１５とを含む。横ルーバ１１１は、吹出口１１３を開放または閉塞する。横ルーバ１１１と縦ルーバ１１５は、ファン１４０によって吹出口１１３から本体１００の外部に送出される空気の向きを変更する。
【００７５】
このようにすることにより、吹出口１１３の周辺に配置される横ルーバ１１１と、縦ルーバ１１５とを、本体１００に一度に着脱できる。このように、吹出口１１３の周辺に配置される部材を本体１００から一度に取り外すことができるので、本体１００からファン１４０を取り外すために必要な空間を確保しやすい。
【００７６】
壁掛け形空気調和機１は、本体１００に収容される熱交換器１３０を備える。本体１００の開口部１２０は本体１００の下部に形成される。熱交換器１３０は、前方側熱交換器部１３１と後方側熱交換器部１３２によって構成される。前方側熱交換器部１３１と後方側熱交換器部１３２との上端は互いに接触し、下端は離隔するように配置されている。ファン１４０は、前方側熱交換器部１３１と後方側熱交換器部１３２との間に挟まれて配置されている。
【００７７】
このようにすることにより、第１の熱交換器部の下端と第２の熱交換器部の下端との間が離されているので、熱交換器１３０の下方の開口部１２０からファン１４０を抜き出すことが容易になる。また、前方側熱交換器部１３１の上端と後方側熱交換器部１３２の上端とが互いに接触しているので、熱交換の効率を保ちながら、壁掛け形空気調和機１を小型化することができる。
【００７８】
また、壁掛け形空気調和機１は、ファン１４０を駆動するモータ１５０と、モータ押え部材１６０またはモータ押え部材１７０とを備える。モータ押え部材１６０，１７０は、モータ１５０を本体１００上部に固定する。また、モータ押え部材１６０，１７０は、本体１００からモータ１５０の固定を解除することが可能であるように構成されている。
【００７９】
このようにすることにより、ファン１４０を取り外す作業の間、重量の大きいモータ１５０をモータ押え部材１６０またはモータ押え部材１７０で本体１００に固定して、モータ１５０が落下することを防ぐことができる。また、本体１００からモータ１５０の固定を解除することによって、モータ１５０ごとファン１４０を取り外すことができる。モータ１５０ごとファン１４０を取り外すことによって、ファン１４０とモータ１５０との間にクリアランスを設ける必要がなくなり、壁掛け形空気調和機１の幅を小さくすることができる。さらに、モータ１５０と軸との取り付け部分に不良が発生しにくくなる。
【００８０】
また、壁掛け形空気調和機１は、下部係合部とネジ止め部１９５と回動部とを備える。下部係合部は、ドレンパン組品１１０の下部を本体１００に係合させるためものである。ネジ止め部１９５は、ドレンパン組品１１０の上部を本体１００に固定するためのものである。回動部は、ドレンパン組品１１０の下部を中心にドレンパン組品１１０を回動させるためのものである。
【００８１】
下部係合部は、本体１００に配置される突起１９２，１９４と、ドレンパン組品１１０に配置されて突起１９２，１９４に係合するツメ１９１，１９３とを含む。回動部は、本体１００に配置される端縁１９７と、ドレンパン組品１１０に配置され、端縁１９７と組み合わされた回動部を構成する凹部１９６とを含む。
【００８２】
本体１００からドレンパン組品１１０が取り外されてファン１４０の清掃がされた後、ドレンパン組品１１０を再び本体１００に取り付けるときには、次のようにする。まず、端縁１９７と凹部１９６とを組み合わせて回動部を構成する。このようにすることにより、ドレンパン組品１１０の下部を中心にしてドレンパン組品１１０を回動させることができる。次に、ドレンパン組品１１０の下部を中心にして、ドレンパン組品１１０を回動させる。回動されたドレンパン組品１１０の下部においては、本体１００の突起１９２，１９４にドレンパン組品１１０のツメ１９１，１９３を係合させる。突起１９２，１９４とツメ１９１，１９３とが係合されると、下部係合部において本体１００とドレンパン組品１１０の下部とが係合される。このようにすることにより、ドレンパン組品１１０の下部を中心にして、ドレンパン組品１１０を回動させることができる。次に、ドレンパン組品１１０の下部を中心にして、ドレンパン組品１１０を回動させる。また、回動されたドレンパン組品１１０の上部は、本体１００に固定される。ドレンパン組品１１０の上部は、ネジ止め部１９５においてネジ止めされることによって本体１００に固定される。
【００８３】
このようにすることにより、本体１００から取り外されたドレンパン組品１１０を、容易に、再び本体１００に取り付けることができる。
【００８４】
なお、壁掛け形空気調和機１においては、ドレンパン組品１１０の上部をネジ止め部１９５においてネジ止めする間、仮留め部１０８ａにおいてドレンパン組品１１０の上部が本体１００に支持されているので、ドレンパン組品１１０を作業者が手で支持しなくても、ドレンパン組品１１０が本体１００から落下したり、ドレンパン組品１１０と本体１００との位置関係がずれたりすることを防ぐことができる。
【００８５】
もし、本体１００の仮留め部１０８ａを備えない場合には、ドレンパン組品１１０の上部をネジ止め部１９５においてネジ止めする間、ドレンパン組品１１０が本体１００から外れて落下しないように、作業者がドレンパン組品１１０を手で支える必要がある。しかし、例えば、下部係合部の突起１９２，１９４とツメ１９１，１９３とを、作業者がドレンパン組品１１０を手で支えなくてもドレンパン組品１１０が本体１００から落下しないように、強固に固定することが可能であるように構成することによって、仮留め部１０８ａを備えなくてもドレンパン組品１１０の落下を防ぐことができる。
【００８６】
また、壁掛け形空気調和機１では、ドレンパン組品１１０の上部はネジ止め部１９５においてネジ止めされることによって本体１００に固定されているが、上部固定部はネジ止め以外の固定方法でドレンパン組品１１０の上部を本体１００に固定するものであってもよい。例えば、上部固定部も下部係合部と同様に、突起と、突起に係合するツメとから構成されていてもよい。このように、上部固定部を突起と、突起に係合するツメとから構成することによって、ネジ止めよりも容易にドレンパン組品１１０の上部を本体１００に固定することができる。
【００８７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００８８】
１：壁掛け形空気調和機、１００：本体、１１０：ドレンパン組品、１１１：横ルーバ、１１２：吹出口後方突出部、１１３：吹出口、１１４：吹出口周縁部、１１５：縦ルーバ、１１７：露受け、１１８：上壁部、１２０：開口部、１３０：熱交換器、１３１：前方側熱交換器部、１３２：後方側熱交換器部、１４０：ファン、１５０：モータ、１６０，１７０：モータ押え部材、１９１：ツメ、１９２：突起、１９３：ツメ、１９４：突起、１９５：ネジ止め部、１９６：凹部、１９７：端縁。
【図１】
2011043253.tif 000003
【図２】
2011043253.tif 000004
【図３】
2011043253.tif 000005
【図４】
2011043253.tif 000006
【図５】
2011043253.tif 000007
【図６】
2011043253.tif 000008
【図７】
2011043253.tif 000009
【図８】
2011043253.tif 000010
【図９】
2011043253.tif 000011
【図１０】
2011043253.tif 000012
【図１１】
2011043253.tif 000013
【図１２】
2011043253.tif 000014
【図１３】
2011043253.tif 000015
【図１４】
2011043253.tif 000016
【図１５】
2011043253.tif 000017
【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
ファンと、
前記ファンの前方下部を除いた部分を覆うように前記ファンを収容する第１の筐体と、
前記ファンによって送出される空気を吹き出すための吹出口を形成する吹出口周縁部とドレンパンとを有し、前記第１の筐体に着脱可能であるように取り付けられる第２の筐体と、を備え、
前記第１の筐体には、前記ファンを前記第１の筐体から取り出すための開口部が前記ファンの前方下部に対向するように形成され、
前記第２の筐体は、前記吹出口が前記開口部に対向するように前記第１の筐体に取り付けられ、
前記吹出口周縁部は、前記吹出口の上方に配置される上壁部と、前記吹出口の下方に配置される下壁部とを含む、
壁掛け形空気調和機。
【請求項２】
前記第２の筐体は、前記吹出口を開放または閉塞するための吹出口開閉部材と、前記ファンによって前記吹出口から前記第１の筐体の外部に送出される空気の向きを変更するための風向変更部材とを含む、
請求項１に記載の壁掛け形空気調和機。
【請求項３】
前記第１の筐体に収容される熱交換器を備え、
前記第１の筐体の開口部は前記第１の筐体の下部に形成され、
前記熱交換器は、第１の熱交換器部と第２の熱交換器部によって構成され、
前記第１の熱交換器部と前記第２の熱交換器部との上端は互いに接触し、下端は離隔するように配置されて、
前記ファンは、前記第１の熱交換器部と前記第２の熱交換器部との間に挟まれて配置されている、
請求項１または請求項２に記載の壁掛け形空気調和機。
【請求項４】
前記ファンを駆動するモータと、
前記モータを前記第１の筐体に固定するためのモータ固定部を備え、
前記モータ固定部は、前記第１の筐体から前記モータの固定を解除することが可能であるように構成されている、
請求項１から請求項３までのいずれか１項に記載の壁掛け形空気調和機。
【請求項５】
前記第２の筐体の下部を前記第１の筐体に係合させるための下部係合部と、
前記第２の筐体の上部を前記第１の筐体に固定するための上部固定部と、
前記第２の筐体の下部を中心に前記第２の筐体を回動させるための回動部とを備え、
前記下部係合部は、前記第１の筐体に配置される第１の突起と、前記第２の筐体に配置されて前記第１の突起に係合する第２の突起とを含み、
前記回動部は、前記第１の筐体に配置される第１の回動部構成部と、前記第２の筐体に配置され、前記第１の回動部構成部と組み合わされて前記回動部を構成する第２の回動部構成部とを含む、
請求項１から請求項４までのいずれか１項に記載の壁掛け形空気調和機。
【手続補正２】
【補正対象書類名】明細書
【補正対象項目名】００１３
【補正方法】変更
【補正の内容】
【００１３】
この発明に従った壁掛け形空気調和機は、ファンと、第１の筐体と、第２の筐体とを備える。第１の筐体は、ファンの前方下部を除いた部分を覆うようにファンを収容する。第２の筐体は、ファンによって送出される空気を吹き出すための吹出口を形成する吹出口周縁部とドレンパンとを有し、第１の筐体に着脱可能であるように取り付けられる。第１の筐体には、ファンを第１の筐体から取り出すための開口部がファンの前方下部に対向するように形成されている。第２の筐体は、吹出口が第１の筐体の開口部に対向するように第１の筐体に取り付けられる。吹出口周縁部は、吹出口の上方に配置される上壁部と、吹出口の下方に配置される下壁部とを含む。
【手続補正３】
【補正対象書類名】明細書
【補正対象項目名】００３３
【補正方法】変更
【補正の内容】
【００３３】
ドレンパン組品１１０の横ルーバ１１１と吹出口後方突出部１１２との間には、吹出口１１３が形成されている。吹出口１１３の上方には、上壁部１１８が配置されている。図１では、上壁部１１８の前面は横ルーバ１１１に覆われている。吹出口１１３の下方には、下壁部として吹出口後方突出部１１２が配置されている。吹出口１１３は、上壁部１１８と吹出口後方突出部１１２との間に形成された開口である。横ルーバ１１１は、回動して吹出口１１３を開放または閉塞することが可能であるようにドレンパン組品１１０に取り付けられている。吹出口後方突出部１１２は、回動しないようにドレンパン組品１１０に固定されている。図１には、横ルーバ１１１が吹出口１１３を閉塞している状態が示されている。横ルーバ１１１と上壁部１１８と吹出口後方突出部１１２とが吹出口周縁部１１４を構成している。
【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
ファンと、
前記ファンの前方下部を除いた部分を覆うように前記ファンを収容する第１の筐体と、
前記ファンによって送出される空気を吹き出すための吹出口を形成する吹出口周縁部とドレンパンとを有し、前記第１の筐体に着脱可能であるように取り付けられる第２の筐体と、
第１の熱交換器部と第２の熱交換器部とによって構成され、前記第１の筐体に収容される熱交換器と、を備え、
前記第１の熱交換器部の上端と前記第２の熱交換器部の上端とは互いに接触し、前記第１の熱交換器部の下端と前記第２の熱交換器部の下端とは互いに離隔するように配置され、
前記ファンは、前記第１の熱交換器部と前記第２の熱交換器部との間に挟まれて配置され、
前記第１の筐体の下部には、前記ファンを前記第１の筐体から取り出すための開口部が前記ファンの前方下部に対向するように形成され、
前記第２の筐体は、前記吹出口が前記開口部に対向するように前記第１の筐体に取り付けられ、
前記吹出口周縁部は、前記吹出口の上方に配置される上壁部と、前記吹出口の下方に配置される下壁部とを含み、さらに、
前記第２の筐体の下部を前記第１の筐体に係合させるための下部係合部と、
前記第２の筐体の上部を前記第１の筐体に固定するための上部固定部と、
前記第２の筐体の下部を中心に前記第２の筐体を回動させるための回動部と、を備え、
前記下部係合部は、前記第１の筐体に配置される第１の突起と、前記第２の筐体に配置されて前記第１の突起に係合する第２の突起とを含み、
前記回動部は、前記第１の筐体に配置される第１の回動部構成部と、前記第２の筐体に配置され、前記第１の回動部構成部と組み合わされて前記回動部を構成する第２の回動部構成部とを含む、
壁掛け形空気調和機。
【請求項２】
前記第２の筐体は、前記吹出口を開放または閉塞するための吹出口開閉部材と、前記ファンによって前記吹出口から前記第１の筐体の外部に送出される空気の向きを変更するための風向変更部材とを含む、
請求項１に記載の壁掛け形空気調和機。
【請求項３】
前記ファンを駆動するモータと、
前記モータを前記第１の筐体に固定するためのモータ固定部を備え、
前記モータ固定部は、前記第１の筐体から前記モータの固定を解除することが可能であるように構成されている、
請求項１または請求項２に記載の壁掛け形空気調和機。
【手続補正２】
【補正対象書類名】明細書
【補正対象項目名】００１３
【補正方法】変更
【補正の内容】
【００１３】
この発明に従った壁掛け形空気調和機は、ファンと、第１の筐体と、第２の筐体と、熱交換器を備える。第１の筐体は、ファンの前方下部を除いた部分を覆うようにファンを収容する。第２の筐体は、ファンによって送出される空気を吹き出すための吹出口を形成する吹出口周縁部とドレンパンとを有し、第１の筐体に着脱可能であるように取り付けられる。熱交換器は、第１の熱交換器部と第２の熱交換器部とによって構成される。熱交換器は、第１の筐体に収容される。第１の熱交換器部の上端と第２の熱交換器部の上端とは互いに接触し、第１の熱交換器部の下端と第２の熱交換器部の下端とは互いに離隔するように配置されている。ファンは、第１の熱交換器部と第２の熱交換器部との間に挟まれて配置されている。第１の筐体の下部には、ファンを第１の筐体から取り出すための開口部がファンの前方下部に対向するように形成されている。第２の筐体は、吹出口が第１の筐体の開口部に対向するように第１の筐体に取り付けられる。吹出口周縁部は、吹出口の上方に配置される上壁部と、吹出口の下方に配置される下壁部とを含む。この発明に従った壁掛け形空気調和機は、下部係合部と上部固定部と回動部とをさらに備える。下部係合部は、第２の筐体の下部を第１の筐体に係合させるためものである。上部固定部は、第２の筐体の上部を第１の筐体に固定するためのものである。回動部は、第２の筐体の下部を中心に第２の筐体を回動させるためのものである。下部係合部は、第１の筐体に配置される第１の突起と、第２の筐体に配置されて第１の突起に係合する第２の突起とを含む。回動部は、第１の筐体に配置される第１の回動部構成部と、第２の筐体に配置され、第１の回動部構成部と組み合わされて回動部を構成する第２の回動部構成部とを含む。
【手続補正３】
【補正対象書類名】明細書
【補正対象項目名】００１７
【補正方法】変更
【補正の内容】
【００１７】
第１の熱交換器部の下端と第２の熱交換器部の下端との間が離されているので、熱交換器の下方の開口部からファンを抜き出すことが容易になる。また、第１の熱交換器部の上端と第２の熱交換器部との上端が互いに接触しているので、熱交換の効率を保ちながら、壁掛け形空気調和機を小型化することができる。
【手続補正４】
【補正対象書類名】明細書
【補正対象項目名】００１８
【補正方法】変更
【補正の内容】
【００１８】
第１の筐体から第２の筐体が取り外されてファンの清掃がされた後、第２の筐体を再び第１の筐体に取り付けるときには、次のようにする。まず、第１の回動部構成部と第２の回動部構成部とを組み合わせて回動部を構成する。このようにすることにより、第２の筐体の下部を中心にして、第２の筐体を回動させることができる。次に、第２の筐体の下部を中心にして、第２の筐体を回動させる。回動された第２の筐体の下部においては、下部係合部において、第１の筐体の第１の突起に第２の筐体の第２の突起が係合される。第１の突起と第２の突起とが係合されると、下部係合部において第１の筐体と第２の筐体の下部とが係合される。また、回動された第２の筐体の上部は、第１の筐体に固定される。第２の筐体の上部は、例えば、上部固定部においてネジ止めされることによって第１の筐体に固定される。
【手続補正５】
【補正対象書類名】明細書
【補正対象項目名】００１９
【補正方法】変更
【補正の内容】
【００１９】
このようにすることにより、第１の筐体から取り外された第２の筐体を、容易に、再び第１の筐体に取り付けることができる。
【手続補正６】
【補正対象書類名】明細書
【補正対象項目名】００２０
【補正方法】変更
【補正の内容】
【００２０】
この発明に従った壁掛け形空気調和機においては、第２の筐体は、吹出口開閉部材と、風向変更部材とを含むことが好ましい。吹出口開閉部材は、吹出口を開放または閉塞するためのものである。風向変更部材は、ファンによって吹出口から第１の筐体の外部に送出される空気の向きを変更するためのものである。
【手続補正７】
【補正対象書類名】明細書
【補正対象項目名】００２１
【補正方法】変更
【補正の内容】
【００２１】
このようにすることにより、吹出口の周辺に配置される吹出口開閉部材と、風向変更部材とを、第１の筐体に一度に着脱できる。このように、吹出口の周辺に配置される部材を第１の筐体から一度に取り外すことができるので、第１の筐体からファンを取り外すために必要な空間を確保しやすい。
【手続補正８】
【補正対象書類名】明細書
【補正対象項目名】００２２
【補正方法】変更
【補正の内容】
【００２２】
この発明に従った壁掛け形空気調和機は、ファンを駆動するモータと、モータ固定部とを備えることが好ましい。モータ固定部は、モータを第１の筐体に固定することが好ましい。また、モータ固定部は、第１の筐体からモータの固定を解除することが可能であるように構成されていることが好ましい。
【手続補正９】
【補正対象書類名】明細書
【補正対象項目名】００２３
【補正方法】変更
【補正の内容】
【００２３】
このようにすることにより、ファンを取り外す作業の間、重量の大きいモータをモータ固定部で第１の筐体に固定して、モータが落下することを防ぐことができる。また、第１の筐体からモータの固定を解除することによって、モータごとファンを取り外すことができる。モータごとファンを取り外すことによって、ファンとモータとの間にクリアランスを設ける必要がなくなり、空気調和機の幅を小さくすることができる。さらに、モータと軸との取り付け部分に不良が発生しにくくなる。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】